(57)【特許請求の範囲】
【請求項１】
窓孔を覆うように緩衝フィルムが張り渡された一対の中枠部材と該一対の中枠部材を対向させた状態で保持する外枠部材とからなる緩衝包装材において、前記外枠部材が前記一対の中枠部材の外周縁を包囲する筒体と該筒体の一方の開口縁を延長してなる一方側支持片と該筒体の他方の開口縁を延長してなる他方側支持片とからなり、当該一対の中枠部材がそれぞれ筒体の中空部分に配置されると共に、当該筒体の内方へ折り込まれた一方側支持片によって当該一方の中枠部材の外周縁部が支持され、かつ、当該筒体の内方へ折り込まれた他方側支持片によって当該他方の中枠部材の外周縁部が支持されることを特徴とする緩衝包装材。
【請求項２】
筒体の内方へ折り込まれた一方側支持片によって該筒体の一方の開口側内周にフランジが形成されると共に、筒体の内方へ折り込まれた他方側支持片によって該筒体の他方の開口側内周にフランジが形成され、当該筒体の一方の開口側内周に形成されたフランジによって一方の中枠部材の外周縁部が支持され、かつ、当該筒体の他方の開口側内周に形成されたフランジによって他方の中枠部材の外周縁部が支持される請求項１記載の緩衝包装材。
【請求項３】
筒体の一方の開口側内周に形成されたフランジが該筒体の他方の開口に対面する面状に形成されており、筒体の他方の開口側内周に形成されたフランジが該筒体の一方の開口に対面する面状に形成されている請求項２記載の緩衝包装材。
【請求項４】
筒体の内方へ折り込まれた一方側支持片が柱状に成形されており、筒体の内方へ折り込まれた他方側支持片が柱状に成形されている請求項１乃至３のいずれか１項に記載の緩衝包装材。
【請求項５】
隣接する一方側支持片の隣り合う側縁部分にそれぞれ引掛部が形成されており、隣接する他方側支持片の隣り合う側縁部分にそれぞれ引掛部が形成されており、筒体の内方へ折り込まれた隣接する一方側支持片の引掛部が互いに噛み合い、筒体の内方へ折り込まれた隣接する他方側支持片の引掛部が互いに噛み合う請求項１乃至４のいずれか１項に記載の緩衝包装材。
【請求項６】
外枠部材が一枚のブランクからなり、ブランクには、筒体を構成する複数の外壁部が一列に並んだ状態で連接されており、当該一列に並んだ複数の外壁部における一方端に位置する外壁部の側縁に連結部が形成されており、筒体の一方の開口縁となる外壁部の下縁に一方側支持片が連接されていると共に、筒体の他方の開口縁となる外壁部の上縁に他方側支持片が連接されており、各外壁部を同一方向に折り曲げて連結部を当該一列に並んだ複数の外壁部における他方端に位置する外壁部の側縁に連結させることによって筒体を形成する請求項１乃至５のいずれか１項に記載の緩衝包装材。
【請求項７】
一方側支持片が筒体の一方の開口縁に連接される内壁部と該内壁部に連接されるフランジ部とを備えており、他方側支持片が筒体の他方の開口縁に連接される内壁部と該内壁部に連接されるフランジ部とを備えており、筒体の内方へ巻き込むように折り込まれた一方側支持片の他方の開口と対面するフランジ部によって該筒体の一方の開口側内周にフランジが形成され、筒体の内方へ巻き込むように折り込まれた他方側支持片の一方の開口と対面するフランジ部によって該筒体の他方の開口側内周にフランジが形成され、当該筒体の一方の開口側内周に形成されたフランジによって一方の中枠部材の外周縁部が支持され、かつ、当該筒体の他方の開口側内周に形成されたフランジによって他方の中枠部材の外周縁部が支持される請求項１乃至６のいずれか１項に記載の緩衝包装材。
【請求項８】
一方側支持片が筒体の一方の開口縁に連接される内壁部と該内壁部に連接されるフランジ部と該フランジ部に連接される先端部とを備えており、他方側支持片が筒体の他方の開口縁に連接される内壁部と該内壁部に連接されるフランジ部と該フランジ部に連接される先端部とを備えており、筒体の内方へ巻き込むように折り込まれて柱状に成形された一方側支持片の他方の開口と対面するフランジ部によって該筒体の一方の開口側内周にフランジが形成され、筒体の内方へ巻き込むように折り込まれて柱状に成形された他方側支持片の一方の開口と対面するフランジ部によって該筒体の他方の開口側内周にフランジが形成され、当該筒体の一方の開口側内周に形成されたフランジによって一方の中枠部材の外周縁部が支持され、かつ、当該筒体の他方の開口側内周に形成されたフランジによって他方の中枠部材の外周縁部が支持される請求項１乃至６のいずれか１項に記載の緩衝包装材。
【請求項９】
内壁部に折り目が形成されている請求項７又は８のいずれか１項に記載の緩衝包装材。
【請求項１０】
各中枠部材が窓孔を有する枠体と該枠体に対して直交する外突片とからなり、筒体の中空部分に配置された一方の中枠部材の外突片が該筒体と該筒体の内方へ折り込まれた一方側支持片との間に差し込まれ、かつ、筒体の中空部分に配置された他方の中枠部材の外突片が該筒体と該筒体の内方へ折り込まれた他方側支持片との間に差し込まれる請求項１乃至９のいずれか１項に記載の緩衝包装材。
【請求項１１】
緩衝フィルムの外周縁部が各外突片に接着されている請求項１０記載の緩衝包装材。
【発明の詳細な説明】
【技術分野】
【０００１】
本発明は、ディスプレー機能を有する緩衝包装材に関するものである。
【背景技術】
【０００２】
周知の通り、割れ物、電子機器又は精密機器などの被包装物品を運搬時に生じる衝撃から保護する緩衝包装材として、被包装物品を可撓性及び伸縮性を有する透明の緩衝フィルムによって外枠部材に保持する緩衝包装材がある。この緩衝包装材によれば、包装後においても透明な緩衝フィルムを透して被包装物品を容易に確認することができる。
【０００３】
前記緩衝包装材としては、後出特許文献１に緩衝機能性フィルムを緩衝材として用いて商品を衝撃から保護する包装体であって、少なくともトレイ状の商品収納部と前記緩衝機能性フィルムが窓貼りされた中枠部とからなり、前記商品収納部の所定の位置に固定手段によって固定された前記商品を前記緩衝機能性フィルムが緊張状態で当接する位置に前記中枠部が前記商品収納部と対向して保持されてなる緩衝機能付き包装体が開示されている。
【０００４】
ところが、前記特許文献１記載の緩衝機能付き包装体においては、被包装物品を中枠部側からしか目視できないため、被包装物品全体を確認することができず、被包装物品の裏面に商品説明などが記載されている場合には、その商品説明を確認するために被包装物品を一度包装体から取り出す必要があり、非常に不便であった。
【０００５】
そこで、前記問題点を解決した緩衝包装材として、被包装物品を一対の緩衝フィルムによって挟んだ状態で筒状の外枠部材に保持する緩衝包装材が開発されており、例えば、後出特許文献２には、被包装物を可透性で柔軟かつ強靱なシートで周囲にシートの接着端部を有するように減圧或いは真空包装し、次いで被包装物が突出しない巾を有する筒状の保持枠内に挿入し、被包装物を緊張吊持するように前記シート接着端部を前記保持枠壁に係止した包装容器が開示されている。
【０００６】
また、後出特許文献３には、保持フィルムを張り渡した窓枠状の２つのフィルム枠を幅広のヒンジで連結した緩衝部材と、この２つのフィルム枠等による緩衝部材をヒンジで閉じて収容する箱体とからなるフィルム梱包材であって、箱体が周壁に両保持フィルムに面する開口を備えており、緩衝部材が折り曲げ等によって形成されたオフセット部を有しており、オフセット部がそれぞれのフィルム枠を箱体の開口から奥まった位置に後退固定するオフセット手段をなすフィルム梱包材が開示されている。
【０００７】
この種の緩衝包装材によれば、包装後においても両緩衝フィルムを透して被包装物品全体を確認することができ、さらに、被包装物品が外枠部材に対して宙吊り状態で保持されるため、緩衝性能が非常に高く、また、観者に対する強いアピール効果が期待できる。
【０００８】
しかし、前記特許文献２記載の包装容器においては、保持枠が一重構造であるため、強度が非常に低いという問題点があった。また、保持枠の外周面にシート接着端部が突出してしまうため、保持枠のいずれかの外周面を底面とした場合に安定した状態で載置できないという問題点があった。さらに、包装工程において各シート接着端部をそれぞれ保持枠壁に係止する必要があるため、作業性が悪く、被包装物品を保持枠の中心に位置付けることが困難であるという問題点があった。
【０００９】
また、前記特許文献３記載のフィルム梱包材においても、緩衝部材のオフセット部を支える箱体の周壁が一重構造であるため、強度が非常に低いという問題点があった。さらに、箱体のいずれかの周壁に緩衝部材を出し入れするための開口が形成されるため、重い被包装物品を包装した状態で該開口を下方に向けると、箱体から被包装物品が保持フィルムと共に抜け落ちてしまうという問題点があった。
【特許文献１】特開平１１−２６８７６８号公報（第２，３頁、図１及び図２）
【特許文献２】特公昭５４−７１２号公報（第２頁、図３）
【特許文献３】特開２００１−２７８３４３号公報（第５頁、図６及び図７）
【発明の開示】
【発明が解決しようとする課題】
【００１０】
そこで、本発明は、強度が非常に高く、また、デイスプレーの態様が制限されず、かつ、安定した状態で載置できる意匠性に優れたディスプレー機能を有する緩衝包装材を得ることを技術的課題として、その具現化をはかるべく研究・実験を重ねた結果、窓孔を覆うように緩衝フィルムが張り渡された一対の中枠部材と該一対の中枠部材を対向させた状態で保持する外枠部材とからなる緩衝包装材において、前記外枠部材を前記一対の中枠部材の外周縁を包囲する筒体と該筒体の一方の開口縁を延長してなる一方側支持片と該筒体の他方の開口縁を延長してなる他方側支持片とから構成し、当該一対の中枠部材をそれぞれ筒体の中空部分に配置すると共に、当該筒体の内方へ折り込まれた一方側支持片によって当該一方の中枠部材の外周縁部を支持し、かつ、当該筒体の内方へ折り込まれた他方側支持片によって当該他方の中枠部材の外周縁部を支持すれば、強度が格段に向上するという刮目すべき知見を得、前記技術的課題を達成したものである。
【課題を解決するための手段】
【００１１】
前記技術的課題は、次の通りの本発明によって解決できる。
【００１２】
即ち、本発明の請求項１に係る緩衝包装材は、窓孔を覆うように緩衝フィルムが張り渡された一対の中枠部材と該一対の中枠部材を対向させた状態で保持する外枠部材とからなる緩衝包装材において、前記外枠部材が前記一対の中枠部材の外周縁を包囲する筒体と該筒体の一方の開口縁を延長してなる一方側支持片と該筒体の他方の開口縁を延長してなる他方側支持片とからなり、当該一対の中枠部材がそれぞれ筒体の中空部分に配置されると共に、当該筒体の内方へ折り込まれた一方側支持片によって当該一方の中枠部材の外周縁部が支持され、かつ、当該筒体の内方へ折り込まれた他方側支持片によって当該他方の中枠部材の外周縁部が支持されるものである。
【００１３】
また、本発明の請求項２に係る緩衝包装材は、前記請求項１の緩衝包装材において、筒体の内方へ折り込まれた一方側支持片によって該筒体の一方の開口側内周にフランジが形成されると共に、筒体の内方へ折り込まれた他方側支持片によって該筒体の他方の開口側内周にフランジが形成され、当該筒体の一方の開口側内周に形成されたフランジによって一方の中枠部材の外周縁部が支持され、かつ、当該筒体の他方の開口側内周に形成されたフランジによって他方の中枠部材の外周縁部が支持されるものである。
【００１４】
また、本発明の請求項３に係る緩衝包装材は、前記請求項２の緩衝包装材において、筒体の一方の開口側内周に形成されたフランジが該筒体の他方の開口に対面する面状に形成されており、筒体の他方の開口側内周に形成されたフランジが該筒体の一方の開口に対面する面状に形成されているものである。
【００１５】
また、本発明の請求項４に係る緩衝包装材は、前記請求項１乃至３のいずれかの緩衝包装材において、筒体の内方へ折り込まれた一方側支持片が柱状に成形されており、筒体の内方へ折り込まれた他方側支持片が柱状に成形されているものである。
【００１６】
また、本発明の請求項５に係る緩衝包装材は、前記請求項１乃至４のいずれかの緩衝包装材において、隣接する一方側支持片の隣り合う側縁部分にそれぞれ引掛部が形成されており、隣接する他方側支持片の隣り合う側縁部分にそれぞれ引掛部が形成されており、筒体の内方へ折り込まれた隣接する一方側支持片の引掛部が互いに噛み合い、筒体の内方へ折り込まれた隣接する他方側支持片の引掛部が互いに噛み合うものである。
【００１７】
また、本発明の請求項６に係る緩衝包装材は、前記請求項１乃至５のいずれかの緩衝包
装材において、外枠部材が一枚のブランクからなり、ブランクには、筒体を構成する複数
の外壁部が一列に並んだ状態で連接されており、当該一列に並んだ複数の外壁部における
一方端に位置する外壁部の側縁に連結部が形成されており、筒体の一方の開口縁となる外
壁部の下縁に一方側支持片が連接されていると共に、筒体の他方の開口縁となる外壁部の
上縁に他方側支持片が連接されており、各外壁部を同一方向に折り曲げて連結部を当該一
列に並んだ複数の外壁部における他方端に位置する外壁部の側縁に連結させることによっ
て筒体を形成するものである。
【００１８】
また、本発明の請求項７に係る緩衝包装材は、前記請求項１乃至６のいずれかの緩衝包装材において、一方側支持片が筒体の一方の開口縁に連接される内壁部と該内壁部に連接されるフランジ部とを備えており、他方側支持片が筒体の他方の開口縁に連接される内壁部と該内壁部に連接されるフランジ部とを備えており、筒体の内方へ巻き込むように折り込まれた一方側支持片の他方の開口と対面するフランジ部によって該筒体の一方の開口側内周にフランジが形成され、筒体の内方へ巻き込むように折り込まれた他方側支持片の一方の開口と対面するフランジ部によって該筒体の他方の開口側内周にフランジが形成され、当該筒体の一方の開口側内周に形成されたフランジによって一方の中枠部材の外周縁部が支持され、かつ、当該筒体の他方の開口側内周に形成されたフランジによって他方の中枠部材の外周縁部が支持されるものである。
【００１９】
また、本発明の請求項８に係る緩衝包装材は、前記請求項１乃至７のいずれかの緩衝包装材において、一方側支持片が筒体の一方の開口縁に連接される内壁部と該内壁部に連接されるフランジ部と該フランジ部に連接される先端部とを備えており、他方側支持片が筒体の他方の開口縁に連接される内壁部と該内壁部に連接されるフランジ部と該フランジ部に連接される先端部とを備えており、筒体の内方へ巻き込むように折り込まれて柱状に成形された一方側支持片の他方の開口と対面するフランジ部によって該筒体の一方の開口側内周にフランジが形成され、筒体の内方へ巻き込むように折り込まれて柱状に成形された他方側支持片の一方の開口と対面するフランジ部によって該筒体の他方の開口側内周にフランジが形成され、当該筒体の一方の開口側内周に形成されたフランジによって一方の中枠部材の外周縁部が支持され、かつ、当該筒体の他方の開口側内周に形成されたフランジによって他方の中枠部材の外周縁部が支持されるものとすることができる。
【００２０】
また、本発明の請求項９に係る緩衝包装材は、前記請求項７又は８のいずれかの緩衝包装材において、内壁部に折り目が形成されているものである。
【００２１】
また、本発明の請求項１０に係る緩衝包装材は、前記請求項１乃至９のいずれかの緩衝包装材において、各中枠部材が窓孔を有する枠体と該枠体に対して直交する外突片とからなり、筒体の中空部分に配置された一方の中枠部材の外突片が該筒体と該筒体の内方へ折り込まれた一方側支持片との間に差し込まれ、かつ、筒体の中空部分に配置された他方の中枠部材の外突片が該筒体と該筒体の内方へ折り込まれた他方側支持片との間に差し込まれるものである。さらに、本発明の請求項１１に係る緩衝包装材は、請求項１０の緩衝包装材において、緩衝フィルムの外周縁部が各外突片に接着されているものである。
【発明の効果】
【００２２】
本発明によれば、被包装物品を一対の中枠部材に張り渡された透明緩衝フィルムによって挟んだ状態で外枠部材に保持する構造を採用したので、被包装物品が外枠部材に宙吊り状態で支持されるため、被包装物品が外枠部材の真ん中に浮いたように見え、観者に対して強いアピール効果を発揮する。また、一対の中枠部材を保持する外枠部材が筒体を構成する外壁部と支持片を構成する内壁部とを含む多重構造になるため、強度が格段に向上する。
【００２３】
従って、本発明の産業上利用性は非常に高いといえる。
【発明を実施するための最良の形態】
【００２４】
以下、本発明の実施の形態を図面に基づき説明する。
【００２５】
実施の形態１．
【００２６】
図１は本実施の形態に係る緩衝包装材の組み立て途中を示した分解斜視図であり、図２は本実施の形態に係る緩衝包装材の組み上がった状態を示した斜視図であり、図３は図１に示す緩衝包装材の中枠部材を示した展開図であり、図４は図１に示す緩衝包装材の外枠部材を示した展開図であり、図５は図２に示す緩衝包装材を示した縦断面図である。これらの図において、１は、被包装物品２を挟持する一対の中枠部材３，３と、一対の中枠部材３，３を保持する外枠部材４とからなる緩衝包装材であり、外枠部材４は、一対の中枠部材３，３の外周縁を包囲する筒体５と、筒体５の一方の開口縁を延長してなる一方側支持片６と、筒体５の他方の開口縁を延長してなる他方側支持片７とから構成されている。なお、以下において、単に「支持片」と記載した場合には、「一方側支持片」及び「他方側支持片」を示している。
【００２７】
中枠部材３は、図３に示すように、段ボール紙などの厚紙を打ち抜いてなる一枚のブランク８の片面に緩衝フィルム９（図３中、点線にて示す。）を張り渡し、ブランク８の所定位置を折り曲げたものである。ブランク８は、窓孔１０を有する外周矩形状の枠体１１と、枠体１１の外周縁をそれぞれ延長してなる外突片１２とからなっており、その境界部分には折曲線１３が形成されている。そして、緩衝フィルム９は、枠体１１の窓孔１０を覆うように張り渡されており、外周縁部が各外突片１２に接着されている。
【００２８】
なお、緩衝フィルム９の接着方法としては、緩衝フィルムを加熱溶着してもよく、また、接着剤を用いて接着してもよい。
【００２９】
外枠部材４は、図４に示すように、段ボール紙などの厚紙を打ち抜いてなる一枚のブランク１４からなり、ブランク１４の所定位置を折り曲げ、所定部分を糊付けしたものである。ブランク１４には、筒体５を構成する４枚の外壁部１５が一列に並んだ状態で連接されており、それらの境界部分には折曲線１６が形成されている。なお、一列に並んだ４枚の外壁部１５は、長尺状の外壁部１５と短尺状の外壁部１５とが交互に連なっており、一方端に位置する長尺状の外壁部１５の側縁に糊代部１７（連結部）が折曲線１８を介して連接されている。
【００３０】
外壁部１５には、筒体５の一方の開口縁となる下縁を延長してなる一方側支持片６が折曲線１９を介して連接されていると共に、筒体５の他方の開口縁となる上縁を延長してなる他方側支持片７が折曲線２０を介して連接されている。
【００３１】
支持片６，７は、外壁部１５に連接される内壁部２１と、内壁部２１に第一折曲線２２を介して連接されるフランジ部２３と、フランジ部２３に第二折曲線２４を介して連接される先端部２５とから構成されている。そして、短尺状の外壁部１５に連接される支持片６，７には、内壁部２１の両側縁に引掛片２６（引掛部）が突出されており、また、第一折曲線２２を跨ぐように指掛孔２７が形成されている。また、長尺状の外壁部１５に連接される支持片６，７には、内壁部２１の両側縁部に短尺状の外壁部１５に連接される支持片６，７の引掛片２６が差し込まれる引掛孔２８（引掛部）が形成されている。
【００３２】
次に、本実施の形態に係る緩衝包装材の組み立て方法を説明する。
【００３３】
先ず、外枠部材４を構成するブランク１４の４枚の外壁部１５及び糊代部１７を折曲線１６及び折曲線１８に沿って同一方向にそれぞれ直角に折り曲げ、糊代部１７を一列に並んだ４枚の外壁部１５における他方端に位置する短尺状の外壁部１５の側縁に接着することにより、断面矩形状の中空を有する筒体５を組み立てる。
【００３４】
次に、長尺状の外壁部１５に連接された一方側支持片６を第一折曲線２２及び第二折曲線２４に沿って筒体５の内側へ折り曲げることによって三角柱状に成形する。その後、当該一方側支持片６全体を折曲線１９に沿って筒体５の内方へ折り込むことにより、当該一方側支持片６のフランジ部２３を筒体５の他方の開口と対面させる。続いて、短尺状の外壁部１５に連接された一方側支持片６を第一折曲線２２及び第二折曲線２４に沿って筒体５の内側へ折り曲げることによって三角柱状に成形する。その後、当該一方側支持片６全体を折曲線１９に沿って筒体５の内方へ折り込むことにより、当該一方側支持片６のフランジ部２３を筒体５の他方の開口と対面させる。この時、短尺状の外壁部１５に連接された一方側支持片６の引掛片２６を長尺状の外壁部１５に連接された一方側支持片６の引掛孔２８に差し込む。これにより、筒体５の一方の開口側内周には、各一方側支持片６のフランジ部２３によって他方の開口と対面するフランジ２９が形成される。
【００３５】
次に、中枠部材３を構成するブランク８の各外突片１２を折曲線１３に沿って緩衝フィルム９が外側になるように直角に折り曲げる。続いて、一方の中枠部材３を筒体５の他方の開口から該筒体５の中空部分に収納する。この時、一方の中枠部材３の緩衝フィルム９が張り渡されていない面を筒体５の一方の開口側に向ける。そして、一方の中枠部材３の各外突片１２を筒体５と一方側支持片６との間に差し込むと共に、一方の中枠部材３の外周縁部を構成する枠体１１をフランジ２９に当接させる。
【００３６】
次に、一方の中枠部材３の緩衝フィルム９が張り渡された窓孔１０に被包装物品２を載置した後、他方の中枠部材３を一方の中枠部材３と同様に筒体５の他方の開口から該筒体５の中空部分に収納する。この時、他方の中枠部材３の緩衝フィルム９が張り渡されていない面を筒体５の他方の開口側に向ける。従って、一対の中枠部材３，３は、緩衝フィルム９が張り渡された面を対面させた状態で筒体５の中空部分に配置される。
【００３７】
最後に、長尺状の外壁部１５に連接された他方側支持片７を前記長尺状の外壁部１５に連接された一方側支持片６と同様に筒体５の内方へ折り込んだ後、短尺状の外壁部１５に連接された他方側支持片７を前記短尺状の外壁部１５に連接された一方側支持片６と同様に筒体５の内方へ折り込む。これにより、筒体５の他方の開口側内周には、各他方側支持片７のフランジ部２３によって一方の開口と対面するフランジ３０が形成され、他方の中枠部材３の枠体１１がフランジ３０に当接された状態となり、また、他方の中枠部材３の各外突片１２が筒体５と他方側支持片７との間に差し込まれた状態となる。
【００３８】
本実施の形態によれば、筒体の内方へ折り込まれた各支持片が三角柱状に成形されているため、強度が格段に向上する。さらに、緩衝包装材の内周面となる支持片の内壁部に折り目が形成されておらず、枠体がフランジを押す力が筒体と支持片との境界部分に形成された折り目に集中するため、支持片の断面形状が歪むことなく、強度が更に向上する。
【００３９】
また、被包装物品が大きくなると、緩衝フィルムの緊張状態が増し、これに伴って枠体がフランジを押す力も大きくなるが、本実施の形態によれば、幅を有するフランジ部によってフランジが形成されており、中枠部材がフランジに対して面で接して支持されるため、ブランクの材料となる厚紙などの強度が弱くても（厚さが薄くても）、より大きな被包装物品を包装することができる。さらに、被包装物品が大きくなると、緩衝フィルムの緊張状態が増し、これに伴って緩衝フィルムが枠体を筒体の中空方向へ引っ張る力も大きくなるが、本実施の形態によれば、枠体に対して直交する外突片が設けられており、外突片が筒体と支持片との間に差し込まれた状態となっているため、枠体がフランジから外れることがない。
【００４０】
実施の形態２．
【００４１】
本実施の形態は実施の形態１における支持片の変形例であり、図６は本実施の形態の変形例１に係る緩衝包装材の外枠部材を示した展開図であり、図７は本実施の形態の変形例１に係る緩衝包装材を示した縦断面図であり、図８は本実施の形態の変形例２に係る緩衝包装材の外枠部材を示した展開図であり、図９は本実施の形態の変形例２に係る緩衝包装材を示した縦断面図である。これらの図において、図１〜図５と同一符号は同一又は相当部分を示している。
【００４２】
変形例１：本変形例に係る支持片６，７には、図６に示すように、外壁部１５に連接される内壁部２１の中間位置に第三折曲線３１が形成されている。そして、一列に並んだ４枚の外壁部１５における一方端に位置する長尺状の外壁部１５に連接された支持片６ａ，７ａの内壁部２１には、両側縁部に引掛孔２８が形成されている。また、支持片６ａ，７ａに隣接する支持片６ｂ，７ｂの内壁部２１には、支持片６ａ，７ａと隣り合う側縁に引掛片２６が形成されていると共に隣り合わない側縁部に引掛孔２８が形成されている。また、支持片６ｂ，７ｂに隣接する支持片６ｃ，７ｃの内壁部２１には、支持片６ｂ，７ｂと隣り合う側縁に引掛片２６が形成されていると共に隣り合わない側縁部に引掛孔２８が形成されている。さらに、支持片６ｃ，７ｃに隣接する支持片６ｄ，７ｄ、即ち、一列に並んだ４枚の外壁部１５における他方端に位置する短尺状の外壁部１５に連接された支持片６ｄ，７ｄの内壁部２１には、両側縁に引掛片２６が形成されている。
【００４３】
従って、本変形例に係る支持片６，７を筒体５の内方へ折り込む場合には、先ず、図７に示すように、支持片６ａ，７ａを第一折曲線２２、第二折曲線２４及び第三折曲線３１に沿って筒体５の内側へ折り曲げて四角柱状に成形する。その後、当該支持片６ａ，７ａ全体を折曲線１９，２０に沿って筒体５の内方へ折り込むことにより、当該支持片６ａ，７ａのフランジ部２３を筒体５の開口と対面させる。次に、支持片６ｂ，７ｂを前記支持片６ａ，７ａと同様に筒体５の内方へ折り込む。この時、支持片６ｂ，７ｂの引掛片２６を支持片６ａ，７ａの引掛孔２８に差し込む。続いて、支持片６ｃ，７ｃを前記支持片６ａ，７ａと同様に筒体５の内方へ折り込む。この時、支持片６ｃ，７ｃの引掛片２６を支持片６ｂ，７ｂの引掛孔２８に差し込む。最後に、支持片６ｄ，７ｄを前記支持片６ａ，７ａと同様に筒体５の内方へ折り込む。この時、支持片６ｄ，７ｄの両引掛片２６，２６をそれぞれ支持片６ａ，７ａの引掛孔２８又は支持片６ｃ，７ｃの引掛孔２８に差し込む。これにより、筒体５のそれぞれの開口側内周に、各支持片６，７のフランジ部２３からなるフランジ２９，３０が形成される。
【００４４】
本変形例によれば、筒体の内方へ折り込まれた支持片が四角柱状に成形されているため、強度が格段に向上する。
【００４５】
変形例２：本変形例に係る支持片６，７は、図８に示すように、筒体５の外壁部１５に連接される内壁部２１のみから構成されている。そして、隣接する支持片６，７における隣り合う側縁には、噛み合うように形成された凹凸状の噛合片３１（引掛部）がそれぞれ形成されている。
【００４６】
従って、本変形例に係る支持片６，７を筒体５の内方へ折り込む場合には、図９に示すように、各支持片６，７を折曲線１９，２０に沿って筒体５の内方へ折り込むことにより、当該各支持片６，７の先端を筒体５の開口と対向させる。この時、隣接する支持片６，７における隣り合う側縁に形成された噛合片３１を噛み合わせる。これにより、筒体５のそれぞれの開口側内周に、各支持片６，７の先端からなるフランジ２９，３０が形成される。
【００４７】
本変形例によれば、中枠部材を保持する外枠部材が多重構造となるため、強度が向上する。また、支持片が内壁部のみから構成されているため、外枠部材を軽量・小型化することができる。さらに、各支持片を筒体の内方へ折り込んだ際の固定手段として、隣接する支持片における隣り合う側縁が噛み合う構造を採用したので、各支持片を筒体の内方へ折り込む際の折り込み順序が限定されず、自由な順序で支持片を折り込むことができるため、作業性が向上する。
【００４８】
なお、本発明における一対の中枠部材は、前記各実施の形態のように密着させた状態で外枠部材に保持してもよく、一対の中枠部材の間に一定の間隔を設けた状態で外枠部材に保持してもよい。この場合には、より大きな被包装物品を保持することができる。
【００４９】
また、前記各実施の形態のように別体からなる一対の中枠部材を使用してもよく、一方の中枠部材の一辺と他方の中枠部材の一辺とを連結して一体とした一対の中枠部材を使用してもよい。なお、一方の中枠部材の一辺と他方の中枠部材の一辺との間にヒンジを介して連結して一体とした一対の中枠部材であってもよい。
【００５０】
また、被包装物品が比較的小さいものや薄いものである場合には、中枠部材の外突片を設けなくてもよい。この場合には、緩衝フィルムの外周縁部を枠体に接着すればよい。
【００５１】
外枠部材を構成する筒体の中空の断面形状は、前記各実施の形態のように矩形状に限らず、三角形状や五角形状などの他の多角形状にしてもよく、その他の形状にしてもよい。
【００５２】
また、筒体の内方へ折り込まれた支持片は、三角柱状や四角柱状に限らず、他の多角形状にしてもよく、その他の柱状にしてもよい。
【００５３】
また、外枠部材の外表面に現れる部分に模様や色彩を施すことにより、更に意匠性を高めることができる。
【００５４】
外枠部材は、厚紙に限らず、ポリエチレン、ポリプロピレン又はＰＥＴなどの合成樹脂、ステンレスやアルミなどの金属によって形成してもよい。
【００５５】
また、中枠部材の窓孔を有する枠体も、厚紙に限らず、ポリエチレン、ポリプロピレン又はＰＥＴなどの合成樹脂、ステンレスやアルミなどの金属によって形成してもよい。
【図面の簡単な説明】
【００５６】
【図１】実施の形態１に係る緩衝包装材の組み立て途中を示した分解斜視図である。
【図２】実施の形態１に係る緩衝包装材の組み上がった状態を示した斜視図である。
【図３】図１に示す緩衝包装材の中枠部材を示した展開図である。
【図４】図１に示す緩衝包装材の外枠部材を示した展開図である。
【図５】図１に示す緩衝包装材を示した縦断面図である。
【図６】実施の形態２の変形例１に係る緩衝包装材の外枠部材を示した展開図である。
【図７】実施の形態２の変形例１に係る緩衝包装材を示した縦断面図である。
【図８】実施の形態２の変形例２に係る緩衝包装材の外枠部材を示した展開図である。
【図９】実施の形態２の変形例２に係る緩衝包装材を示した縦断面図である。
【符号の説明】
【００５７】
１  緩衝包装材
２  被包装物品
３  中枠部材
４  外枠部材
５  筒体
６  一方側支持片
７  他方側支持片
８  ブランク
９  緩衝フィルム
１０  窓孔
１１  枠体
１２  外突片
１３  折曲線
１４  ブランク
１５  外壁部
１６，１８，１９，２０  折曲線
１７  糊代部
２１  内壁部
２２  第一折曲線
２３  フランジ部
２４  第二折曲線
２５  先端部
２６  引掛片
２７  指掛孔
２８  引掛孔
２９，３０  フランジ
３１  第三折曲線
【図１】
0003704623.tif 000002
【図２】
0003704623.tif 000003
【図３】
0003704623.tif 000004
【図４】
0003704623.tif 000005
【図５】
0003704623.tif 000006
【図６】
0003704623.tif 000007
【図７】
0003704623.tif 000008
【図８】
0003704623.tif 000009
【図９】
0003704623.tif 000010